Podtech/llm-jp-corpus-v4-ja_patent huggingface dataset:
【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
ビデオデータを符号化または復号する方法であって、
ビデオコーダによって、前記ビデオデータのピクチャが前記ピクチャ自体を時間的に予測するために使用される参照ピクチャリスト(RPL)内に存在し得るかどうかを示す構文要素をコーディングするステップと、
前記ビデオコーダによって、参照ピクチャバッファ内に、前記ビデオデータの現在のピクチャのバージョンを記憶するステップと、
前記構文要素が、前記ビデオデータのピクチャが前記ピクチャ自体を時間的に予測するために使用されるRPL内に存在し得ることを示すことに基づいて、前記現在のピクチャのブロックを時間的に予測する際に使用されるRPL内に前記現在のピクチャの指標を挿入するステップと、
前記ビデオコーダによって、前記RPLに基づいて、前記参照ピクチャバッファ内に記憶された前記現在のピクチャの前記バージョン内に含まれるビデオデータの予測子ブロックに基づいて、前記現在のピクチャ内のビデオデータの第1のブロックをコーディングするステップと
を備える方法。
【請求項２】
前記ビデオコーダによって、前記第1のブロックをコーディングした後に、前記参照ピクチャバッファ内の前記現在のピクチャの前記バージョンを、前記コーディングされた第1のブロックを含む前記現在のピクチャの更新されたバージョンで更新するステップと、
前記ビデオコーダによって、前記RPLに基づいて、前記参照ピクチャバッファ内に記憶された前記現在のピクチャの前記更新されたバージョン内に含まれる予測子ブロックに基づいて、前記現在のピクチャ内のビデオデータの第2のブロックをコーディングするステップと
をさらに備える、請求項1に記載の方法。
【請求項３】
前記構文要素をコーディングするステップが、前記現在のピクチャによって参照されるビデオパラメータセット(VPS)、前記現在のピクチャによって参照されるシーケンスパラメータセット(SPS)、または前記現在のピクチャによって参照されるピクチャパラメータセット(PPS)内に前記構文要素をコーディングするステップを備える、請求項1に記載の方法。
【請求項４】
前記方法が、前記第1のブロックがイントラブロックコピー(イントラBC)を使用してコーディングされるかどうかを示す構文要素をコーディングするステップを含まない、請求項3に記載の方法。
【請求項５】
前記ブロックが前記現在のピクチャの現在のスライス内に含まれ、前記スライスのための並置参照インデックスを示す構文要素が前記現在のピクチャではないピクチャを示す、請求項1に記載の方法。
【請求項６】
前記ブロックが前記現在のピクチャの現在のスライス内に含まれ、前記予測子ブロックが前記現在のスライス内に含まれる、請求項1に記載の方法。
【請求項７】
前記RPL内の各エントリがインデックス値を有し、前記現在のピクチャを、前記現在のピクチャを時間的に予測するために使用される前記RPL内に挿入するステップが、少なくとも、
長期RPS内のピクチャのインデックス値よりも小さいインデックス値を用いて前記RPL内に前記現在のピクチャを挿入するか、
長期RPS内のピクチャのインデックス値よりも大きいインデックス値を用いて前記RPL内に前記現在のピクチャを挿入するか、
または固定されたインデックス値を用いて前記RPL内に前記現在のピクチャを挿入することによって、
1つまたは複数の参照ピクチャセット(RPS)に基づいて前記現在のピクチャを時間的に予測するために使用される前記RPLを構成するステップを備える、請求項1に記載の方法。
【請求項８】
前記ブロックが前記現在のピクチャの現在のスライス内に含まれ、前記現在のスライスがイントラスライスであり、前記現在のピクチャを、前記現在のピクチャを時間的に予測するために使用されるRPL内に挿入するステップが、前記現在のピクチャを時間的に予測するために使用される前記RPLが前記現在のピクチャのみを含むように、前記現在のピクチャを時間的に予測するために使用される前記RPLを構成するステップを備える、請求項1に記載の方法。
【請求項９】
前記ブロックが前記現在のピクチャの現在のスライス内に含まれ、前記現在のスライスがインタースライスであり、前記現在のピクチャを、前記現在のピクチャを時間的に予測するために使用される前記RPL内に挿入するステップが、前記現在のピクチャを時間的に予測するために使用される前記RPLが、前記現在のピクチャと、ビデオデータの1つまたは複数の他のピクチャとを含むように、前記現在のピクチャを時間的に予測するために使用される前記RPLを構成するステップを備える、請求項1に記載の方法。
【請求項１０】
前記ビデオコーダによって、前記現在のピクチャの前記ブロックをコーディングする前に、前記ビデオデータの前記現在のピクチャを長期参照ピクチャとしてマーキングするステップと、
前記ビデオデータによって、前記現在のピクチャの前記ブロックをコーディングした後に、前記ビデオデータの前記現在のピクチャを短期参照ピクチャとしてマーキングするステップと
をさらに備える、請求項1に記載の方法。
【請求項１１】
前記ブロックをコーディングするステップが前記ブロックを符号化するステップを備え、前記方法が、符号化ビデオビットストリーム内に、ビデオデータの前記ブロックとビデオデータの前記予測子ブロックとの間の変位を表すベクトルの表現を符号化するステップをさらに備える、請求項1に記載の方法。
【請求項１２】
前記ブロックをコーディングするステップが前記ブロックを復号するステップを備え、前記方法が、符号化ビデオビットストリームに基づいて、ビデオデータの前記ブロックとビデオデータの前記予測子ブロックとの間の変位を表すベクトルを決定するステップをさらに備える、請求項1に記載の方法。
【請求項１３】
ビデオデータを符号化または復号するためのデバイスであって、
前記ビデオデータのピクチャが前記ピクチャ自体を時間的に予測するために使用される参照ピクチャリスト(RPL)内に存在し得るかどうかを示す構文要素をコーディングするための手段と、
参照ピクチャバッファ内に、前記ビデオデータの現在のピクチャのバージョンを記憶するための手段と、
前記構文要素が、前記ビデオデータのピクチャが前記ピクチャ自体を時間的に予測するために使用されるRPL内に存在し得ることを示すことに基づいて、前記現在のピクチャのブロックを時間的に予測する際に使用されるRPL内に前記現在のピクチャの指標を挿入するための手段と、
前記RPLに基づいて、前記参照ピクチャバッファ内に記憶された前記現在のピクチャの前記バージョン内に含まれるビデオデータの予測子ブロックに基づいて、前記現在のピクチャ内のビデオデータの第1のブロックをコーディングするための手段と
を備えるデバイス。
【請求項１４】
実行されたとき、ビデオコーダの1つまたは複数のプロセッサに、請求項1乃至12の何れか1項に記載の方法を実施させる命令を記憶するコンピュータ可読記憶媒体。
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
高効率ビデオコーディングのスケーラブル拡張（ＳＨＶＣ）またはマルチビュー高効率ビデオコーディング（ＭＶ−ＨＥＶＣ）を使用してビデオ情報をコーディングする方法であって、
複数のレイヤに関連付けられたビデオ情報を記憶することと、
第１のシンタックス要素がビットストリームのシーケンスパラメータセット中に存在するかどうかを決定することと、ここにおいて、前記第１のシンタックス要素は、前記シーケンスパラメータセット（ＳＰＳ）を参照するピクチャのための参照ピクチャの時間識別子（ＩＤ）がネスティングされ得るかどうかを示すために使用され、
前記第１のシンタックス要素が前記ビットストリーム中に存在しないと決定したことに応答して、
前記ＳＰＳの第２のシンタックス要素の前記値が０よりも大きいとき、前記第２のシンタックス要素は、前記複数のレイヤのうちの特定のレイヤ中の時間サブレイヤの最大数を示し、前記第１のシンタックス要素の値を前記ビットストリームの前記ビデオパラメータセット中に存在する第３のシンタックス要素の値に等しいと推論し、前記第３のシンタックス要素は、任意のピクチャのための参照ピクチャの時間ＩＤがネスティングされ得るかどうかを示し、
他の場合、前記第１のシンタックス要素の前記値を１に等しいと推論する、
を備える、方法。
【請求項２】
前記第１のシンタックス要素は、前記ＳＰＳを参照する現在のアクセスユニット（ＡＵ）中の現在のピクチャが第１のピクチャを参照ピクチャとして使用することができるかどうかを示し、ここにおいて、第２のピクチャが前記第１のピクチャの時間ＩＤよりも低い時間ＩＤを有し、復号順序において前記第１のピクチャに後続するが、前記現在のピクチャに先行するとき、前記第１のピクチャが、前記現在のピクチャの時間ＩＤよりも低いかまたは前記現在のピクチャの時間ＩＤに等しい前記時間ＩＤを有し、復号順序において前記現在のピクチャに先行する、請求項１に記載の方法。
【請求項３】
前記第１のシンタックス要素がｓｐｓ＿ｔｅｍｐｏｒａｌ＿ｉｄ＿ｎｅｓｔｉｎｇ＿ｆｌａｇである、請求項２に記載の方法。
【請求項４】
前記第１のシンタックス要素の前記値が１に等しいとき、前記第１のピクチャが参照ピクチャとして使用されない、請求項２に記載の方法。
【請求項５】
前記第３のシンタックス要素は、現在のＡＵ中の現在のピクチャが第３のピクチャを参照ピクチャとして使用することができるかどうかを示し、ここにおいて、第４のピクチャが前記第３のピクチャの時間ＩＤよりも低い前記時間ＩＤを有し、復号順序において前記第３のピクチャに後続するが、前記現在のピクチャに先行するとき、前記第３のピクチャが、前記現在のピクチャの時間ＩＤよりも低いかまたは前記現在のピクチャの時間ＩＤに等しい時間ＩＤを有し、復号順序において前記現在のピクチャに先行する、請求項１に記載の方法。
【請求項６】
前記第３のシンタックス要素がｖｐｓ＿ｔｅｍｐｏｒａｌ＿ｉｄ＿ｎｅｓｔｉｎｇ＿ｆｌａｇである、請求項１２に記載の方法。
【請求項７】
前記第１のシンタックス要素がｓｐｓ＿ｔｅｍｐｏｒａｌ＿ｉｄ＿ｎｅｓｔｉｎｇ＿ｆｌａｇであり、前記第２のシンタックス要素がｓｐｓ＿ｍａｘ＿ｓｕｂ＿ｌａｙｅｒｓ＿ｍｉｎｕｓ１である、請求項１に記載の方法。
【請求項８】
コンピュータハードウェアを備えるプロセッサ上で実行されたとき、前記プロセッサに、請求項１から７のうちのいずれかの方法を実行させる命令を備える、非一時的コンピュータ可読媒体。
【請求項９】
高効率ビデオコーディングのスケーラブル拡張（ＳＨＶＣ）またはマルチビュー高効率ビデオコーディング（ＭＶ−ＨＥＶＣ）を使用してビデオ情報をコーディングするための装置であって、
複数のレイヤに関連付けられたビデオ情報を記憶するための手段と、
第１のシンタックス要素がビットストリームのシーケンスパラメータ（ＳＰＳ）セット中に存在するかどうかを決定するための手段と、ここにおいて、前記第１のシンタックス要素は、前記ＳＰＳを参照するピクチャのための参照ピクチャの時間識別子（ＩＤ）がネスティングされ得るかどうかを示すために使用され、前記手段は、
前記第１のシンタックス要素が前記ビットストリーム中に存在しないと決定したことに応答して、
前記ＳＰＳの第２のシンタックス要素の前記値が０よりも大きいとき、前記第２のシンタックス要素は、前記複数のレイヤのうちの特定のレイヤ中の時間サブレイヤの最大数を示し、前記第１のシンタックス要素の値を前記ビットストリームの前記ビデオパラメータセット中の第３のシンタックス要素の値に等しいと推論し、前記第３のシンタックス要素は、任意のピクチャのための参照ピクチャの時間ＩＤがネスティングされ得るかどうかを示し、
他の場合、前記第１のシンタックス要素の前記値を１に等しいと推論する、
を行うように構成される、
を備える、装置。
【請求項１０】
前記第１のシンタックス要素は、前記ＳＰＳを参照する現在のアクセスユニット（ＡＵ）中の現在のピクチャが第１のピクチャを参照ピクチャとして使用することができるかどうかを示し、ここにおいて、第２のピクチャが前記第１のピクチャの時間ＩＤよりも低い前記時間ＩＤを有し、復号順序において前記第１のピクチャに後続するが、前記現在のピクチャに先行するとき、前記第１のピクチャが、前記現在のピクチャの時間ＩＤよりも低いかまたは前記現在のピクチャの時間ＩＤに等しい時間ＩＤを有し、復号順序において前記現在のピクチャに先行する、請求項９に記載の装置。
【請求項１１】
前記第３のシンタックス要素は、現在のＡＵ中の現在のピクチャが第３のピクチャを参照ピクチャとして使用することができるかどうかを示し、ここにおいて、第４のピクチャが前記第３のピクチャの時間ＩＤよりも低い前記時間ＩＤを有し、復号順序において前記第３のピクチャに後続するが、前記現在のピクチャに先行するとき、前記第３のピクチャが、前記現在のピクチャの時間ＩＤよりも低いかまたは前記現在のピクチャの時間ＩＤに等しい時間ＩＤを有し、復号順序において前記現在のピクチャに先行する、請求項９に記載の装置。
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
既存のメッシュネットワークを介した通信のための方法であって、
サービスの広告のブロードキャストを検出するステップであり、前記広告が、前記既存のメッシュネットワークの複数のメンバーデバイスによってブロードキャストされる、ステップと、
前記既存のメッシュネットワークの前記複数のメンバーデバイスから前記メンバーデバイスのうちの1つを識別するステップと、
単一の認証手続きに関与するために前記識別されたメンバーデバイスと通信するステップと、
前記単一の認証手続きを正常に完了すると、前記既存のメッシュネットワークに加わるために前記複数のメンバーデバイスのうちの別のメンバーデバイスとのいかなる追加の認証手続きも必要とすることなく、前記既存のメッシュネットワークに加わるステップと
を含む方法。
【請求項２】
前記既存のメッシュネットワークに加わる前記ステップが、
前記既存のメッシュネットワークの前記複数のメンバーデバイスのうちのいずれかと通信するための共通グループキーを受信するステップであり、受信する前記ステップが、前記複数のメンバーデバイスから識別された前記メンバーデバイスのうちの任意の1つからである、ステップ
を含む、請求項1に記載の方法。
【請求項３】
前記共通グループキーを使用してメッセージを暗号化するステップと、
前記既存のメッシュネットワークを介して前記複数のメンバーデバイスのうちのいずれかに前記暗号化されたメッセージを送るステップと
をさらに含む、請求項2に記載の方法。
【請求項４】
前記既存のメッシュネットワークを介して前記複数のメンバーデバイスのうちのいずれかから暗号化されたメッセージを受信するステップと、
前記共通グループキーを使用して前記受信された暗号化されたメッセージを解読するステップと
をさらに含む、請求項2に記載の方法。
【請求項５】
前記単一の認証手続きに関与するために前記識別されたメンバーデバイスと通信する前記ステップが、
前記識別されたメンバーデバイスに第1のパブリック値を含む認証要求を送るステップであり、前記第1のパブリック値が、パスワード要素および第1のナンスを使用して生成され、前記パスワード要素が、前記識別されたメンバーデバイスと共通のパスワードから生成される、ステップと、
前記識別されたメンバーデバイスから第2のパブリック値を含む認証応答を受信するステップであり、前記第2のパブリック値が、前記パスワード要素および第2のナンスを使用して生成され、前記パスワード要素が、共通の前記パスワードから生成される、ステップと、
前記第1および第2のパブリック値を使用してペアワイズ共有キー(PMK)を生成するステップと、
前記生成されたPMKを使用してペアワイズ一時キー(PTK)を生成するステップと
を含む、請求項1に記載の方法。
【請求項６】
前記単一の認証手続きに関与するために前記識別されたメンバーデバイスと通信する前記ステップが、
前記識別されたメンバーデバイスに、メッセージ完全性コード(MIC)を含む関連付け要求を送るステップであり、前記MICが前記生成されたPTKを使用して生成される、ステップと、
前記既存のメッシュネットワークの前記複数のメンバーデバイスのうちのいずれかと通信するための共通グループキーを含む関連付け応答を受信するステップと
をさらに含む、請求項5に記載の方法。
【請求項７】
前記関連付け要求に含まれる前記MICが正しい場合のみ、前記共通グループキーを含む前記関連付け応答が受信される、請求項6に記載の方法。
【請求項８】
前記受信された関連付け応答に含まれる前記共通グループキーが、前記PTKを使用して暗号化される、請求項6に記載の方法。
【請求項９】
前記関連付け要求および前記関連付け応答反応が前記PTKによって保護される、請求項6に記載の方法。
【請求項１０】
前記関連付け要求とともにインターネットプロトコル(IP)アドレス要求を送るステップ
をさらに含む、請求項6に記載の方法。
【請求項１１】
既存のメッシュネットワークを介した通信のための装置であって、
サービスの広告のブロードキャストを検出するための手段であり、前記広告が、前記既存のメッシュネットワークの複数のメンバーデバイスによってブロードキャストされる、手段と、
前記既存のメッシュネットワークの前記複数のメンバーデバイスから前記メンバーデバイスのうちの１つを識別するための手段と、
単一の認証手続きに関与するために前記識別されたメンバーデバイスと通信するための手段と、
前記単一の認証手続きを正常に完了すると、前記既存のメッシュネットワークに加わるために前記複数のメンバーデバイスのうちの別のメンバーデバイスとのいかなる追加の認証手続きも必要とすることなく、前記既存のメッシュネットワークに加わるための手段と
を含む装置。
【請求項１２】
前記既存のメッシュネットワークに加わるための前記手段が、
前記既存のメッシュネットワークの前記複数のメンバーデバイスのうちのいずれかと通信するための共通グループキーを受信するための手段であり、前記受信することが、前記複数のメンバーデバイスから識別された前記メンバーデバイスのうちの任意の1つからである、手段
を含む、請求項11に記載の装置。
【請求項１３】
前記共通グループキーを使用してメッセージを暗号化するための手段と、
前記既存のメッシュネットワークを介して前記複数のメンバーデバイスのうちのいずれかに前記暗号化されたメッセージを送るための手段と
をさらに含む、請求項12に記載の装置。
【請求項１４】
前記単一の認証手続きに関与するために前記識別されたメンバーデバイスと通信するための前記手段が、
前記識別されたメンバーデバイスに第1のパブリック値を含む認証要求を送り、前記第1のパブリック値が、パスワード要素および第1のナンスを使用して生成され、前記パスワード要素が、前記識別されたメンバーデバイスと共通のパスワードから生成され、
前記識別されたメンバーデバイスから第2のパブリック値を含む認証応答を受信し、前記第2のパブリック値が、前記パスワード要素および第2のナンスを使用して生成され、前記パスワード要素が、共通の前記パスワードから生成され、
前記第1および第2のパブリック値を使用してペアワイズ共有キー(PMK)を生成し、
前記生成されたPMKを使用してペアワイズ一時キー(PTK)を生成する
ように構成される、請求項11に記載の装置。
【請求項１５】
コンピュータで実行されたときに、請求項1乃至10の何れか1項に記載の方法を実施するための命令を含む、コンピュータプログラム。
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
基地局と通信する端末装置において実行される方法であって、
セル選択動作またはセル再選択動作を行い、
前記セル選択動作または前記セル再選択動作中に、前記端末装置がある１つの周波数にキャンプオンしている状態でデバイス・ツー・デバイス（Ｄ２Ｄ）通信を行うように設定されている場合、前記端末装置がキャンプオンしている前記周波数を前記セル選択動作またはセル再選択動作に関して最高優先度の候補周波数に設定する
ことを特徴とする方法。
【請求項２】
前記セル選択動作またはセル再選択動作の結果として、前記端末装置が前記Ｄ２Ｄ通信に用いるための候補周波数を選択する、請求項１に記載の方法。
【請求項３】
前記セル選択動作またはセル再選択動作中に、前記端末装置が、前記Ｄ２Ｄ通信が可能であり、Ｄ２Ｄサポート周波数上でＤ２Ｄ信号を受信または送信しているか、あるいは受信または送信することを予期している場合、前記端末装置が前記Ｄ２Ｄ信号を受信または送信できないセル選択候補周波数またはセル再選択候補周波数を低優先度の候補周波数に設定することを前記端末装置に要求する、請求項１に記載の方法。
【請求項４】
前記セル選択動作またはセル再選択動作中に、前記端末装置が、前記Ｄ２Ｄ通信が可能であり、Ｄ２Ｄサポート周波数上でＤ２Ｄ信号を受信または送信しているか、あるいは受信または送信することを予期している場合、前記Ｄ２Ｄサポート周波数であるセル選択候補周波数またはセル再選択候補周波数のみを設定することを前記端末装置に要求する、請求項１に記載の方法。
【請求項５】
前記端末装置が前記Ｄ２Ｄ通信を行う場合、前記端末装置がカバレッジ外にあるか否かを判断し、
前記端末装置がカバレッジ外にあるか否かの判断に基づいて、予め設定されたＤ２Ｄ無線リソースから前記端末装置によって選択されたリソースを用いて、または前記基地局によってスケジュールされたネットワーク割り当て無線リソースを用いて、Ｄ２Ｄ信号を送信する、
請求項１に記載の方法。
【請求項６】
前記セル選択動作またはセル再選択動作に従って選択されたＤ２Ｄ無線リソースを用いてＤ２Ｄ信号を送信する、請求項１に記載の方法。
【請求項７】
基地局と通信する端末装置であって、
制御部を備え、当該制御部は、
セル選択動作またはセル再選択動作を行い、
前記セル選択動作またはセル再選択動作中に、前記端末装置がある１つの周波数にキャンプオンしている状態でデバイス・ツー・デバイス（Ｄ２Ｄ）通信を行うように設定されている場合、キャンプオンしている前記周波数を前記セル選択動作またはセル再選択動作に関して最高優先度の候補周波数に設定する、
ことを特徴とする端末装置。
【請求項８】
前記セル選択動作またはセル再選択動作の結果として、前記制御部は、前記Ｄ２Ｄ通信に用いるための候補周波数を選択する、請求項７に記載の端末装置。
【請求項９】
前記制御部は、前記セル選択動作またはセル再選択動作中に、前記端末装置が、前記Ｄ２Ｄ通信が可能であり、Ｄ２Ｄサポート周波数上でＤ２Ｄ信号を受信または送信しているか、あるいは受信または送信することを予期している場合、前記端末装置が前記Ｄ２Ｄ信号を受信または送信できないセル選択候補周波数またはセル再選択候補周波数を低優先度の候補周波数に設定する、請求項７に記載の端末装置。
【請求項１０】
前記制御部は、前記セル選択動作またはセル再選択動作中に、前記端末装置が、前記Ｄ２Ｄ通信が可能であり、Ｄ２Ｄサポート周波数上でＤ２Ｄ信号を受信または送信しているか、あるいは受信または送信することを予期している場合、前記Ｄ２Ｄサポート周波数であるセル選択候補周波数またはセル再選択候補周波数のみを設定する、請求項７に記載の端末装置。
【請求項１１】
前記セル選択動作またはセル再選択動作に従って選択されたＤ２Ｄ無線リソースを用いてＤ２Ｄ信号を送信する送信部をさらに備える、請求項７に記載の端末装置。
【手続補正２】
【補正対象書類名】図面
【補正対象項目名】図４
【補正方法】変更
【補正の内容】
【図４】
2017513345.tif 000001
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
ピクチャの１つまたは複数のブロックを符号化するための装置であって、前記１つまたは複数のブロックは、第１のブロックを備え、前記第１のブロックは、前記ピクチャの第１の一部分を示すデータのセットを備え、前記装置は、
１つまたは複数のエントリを含むハッシュテーブルを記憶するように構成されたメモリユニット、各エントリは、前記ピクチャの１つまたは複数のブロックを示し、各エントリは、関連付けられたハッシュインデックスを有し、前記ハッシュテーブルの前記エントリは、前に符号化された、前記ピクチャのブロックだけを示す、と、
前記メモリユニットに動作可能に結合されたプロセッサと
を備え、前記プロセッサは、
第１のハッシュインデックスを決定するために前記第１のブロックにハッシュ関数を適用することと、
前記第１のハッシュインデックスに関連付けられた、前記ハッシュテーブル中のエントリを識別することと、
前記ハッシュテーブルから、１つまたは複数の参照ブロックを識別すること、前記識別された１つまたは複数の参照ブロックは、前記第１のハッシュインデックスに関連付けられた前記識別されたエントリにおいて示される、と、
前記１つまたは複数の参照ブロックとの前記第１のブロックの比較に基づいて、前記１つまたは複数の参照ブロックの中から予測ブロックを選択すること、前記選択された予測ブロックは、前記第１のブロックを再構成するために使用される、と、
前記選択された予測ブロックに基づいて、前記第１のブロックを符号化することと
を行うように構成される、装置。
【請求項２】
前記選択された予測ブロックに基づいて前記第１のブロックを符号化することは、ビットストリーム中のブロックベクトルをシグナリングすることを備え、前記ブロックベクトルは、前記ピクチャ内で前記選択された予測ブロックを識別する、
請求項１に記載の装置。
【請求項３】
前記ビットストリーム中の前記ブロックベクトルをシグナリングすることは、前記ビットストリーム中で、ブロックベクトル予測子、ブロックベクトルを示す予測子インデックス、および前記ピクチャ中の前記予測ブロックの左上のサンプルの位置、のうちの１つをシグナリングすることを備える、請求項２に記載の装置。
【請求項４】
前記ハッシュ関数は、セット中の１つまたは複数の値の最上位ビット（ＭＳＢ）の連結を作成し、前記セットは、
前記第１のブロックの直流（ＤＣ）値と、
前記第１のブロックのサブブロックのＤＣ値と、
前記第１のブロックの勾配と、
前記第１のブロックの前記サブブロックの勾配と、
前記第１のブロックの離散コサイン変換（ＤＣＴ）と、
前記第１のブロックの前記サブブロックのＤＣＴと
を備える、請求項１に記載の装置。
【請求項５】
前記ハッシュ関数は、前記第１のブロック中の１つまたは複数のピクセルの巡回冗長検査（ＣＲＣ）を備える、
請求項１に記載の装置。
【請求項６】
前記１つまたは複数の参照ブロックは、リンクリストを使用する前記ハッシュテーブルに含まれる、
請求項１に記載の装置。
【請求項７】
前記プロセッサは、前記第１のブロックの平均勾配値が不均一性しきい値を満たすかまたは超えることに応答して、前記リンクリストに前記第１のブロックを追加するようにさらに構成される、
請求項６に記載の装置。
【請求項８】
前記プロセッサは、あらかじめ定義されたピクセル値を有する前記第１のブロックのピクセルの割合がしきい値割合を満たすかまたは超えることに応答して、前記リンクリストに前記第１のブロックを追加するようにさらに構成される、
請求項６または７に記載の装置。
【請求項９】
前記プロセッサは、前記リンクリスト中のノードの数がしきい値ノード数よりも小さいことに応答して、前記リンクリストに前記第１のブロックを追加するようにさらに構成される、
請求項６から８のうちのいずれかに記載の装置。
【請求項１０】
ピクチャの１つまたは複数のブロックを符号化するための方法であって、前記１つまたは複数のブロックは、第１のブロックを備え、前記第１のブロックは、前記ピクチャの第１の一部分を示し、前記方法は、
メモリユニットに、１つまたは複数のエントリを含むハッシュテーブルを記憶すること、各エントリは、前記ピクチャの１つまたは複数のブロックを示し、各エントリは、関連付けられたハッシュインデックスを有し、前記ハッシュテーブルの前記エントリは、前に符号化された、前記ピクチャのブロックだけを示す、と、
第１のハッシュインデックスを決定するために前記第１のブロックにハッシュ関数を適用することと、
前記第１のハッシュインデックスに関連付けられた、前記ハッシュテーブル中のエントリを識別することと、
前記ハッシュテーブルから、１つまたは複数の参照ブロックを識別すること、前記識別された１つまたは複数の参照ブロックは、前記第１のハッシュインデックスに関連付けられた前記識別されたエントリにおいて示される、と、
前記１つまたは複数の参照ブロックとの前記第１のブロックの比較に基づいて、前記１つまたは複数の参照ブロックの中から予測ブロックを選択すること、前記選択された予測ブロックは、前記第１のブロックを再構成するために使用される、と、
前記選択された予測ブロックに基づいて、前記第１のブロックを符号化することと
を備える、方法。
【請求項１１】
前記ハッシュ関数は、セット中の１つまたは複数の値の最上位ビット（ＭＳＢ）の連結を作成し、前記セットは、
前記第１のブロックの直流（ＤＣ）値と、
前記第１のブロックのサブブロックのＤＣ値と、
前記第１のブロックの勾配と、
前記第１のブロックの前記サブブロックの勾配と、
前記第１のブロックの離散コサイン変換（ＤＣＴ）と、
前記第１のブロックの前記サブブロックのＤＣＴと
を備える、請求項１０に記載の方法。
【請求項１２】
前記ハッシュ関数は、前記第１のブロック中の１つまたは複数のピクセルの巡回冗長検査（ＣＲＣ）を備える、
請求項１０に記載の方法。
【請求項１３】
前記１つまたは複数の参照ブロックは、リンクリストを使用する前記ハッシュテーブルに記憶される、
請求項１０に記載の方法。
【請求項１４】
前記第１のブロックの平均勾配値が不均一性しきい値を満たすかまたは超えること、および／または、
あらかじめ定義されたピクセル値を有する前記第１のブロックのピクセルの割合がしきい値割合を満たすかまたは超えること、および／または、
前記リンクリスト中のノードの数がしきい値ノード数よりも小さいことに応答して、前記リンクリストに前記第１のブロックを追加することをさらに備える、
請求項１３に記載の方法。
【請求項１５】
実行されたとき、デバイスのプロセッサに、請求項１乃至９のいずれか１項に記載の方法を実行させる命令を記憶した非一時的コンピュータ可読記憶媒体。
【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
スケジューリング割当て（ＳＡ）を送信するためのＳＡリソースプール内の第１のリソースブロックを決定することと、前記ＳＡが、前記ＳＡリソースプールの後に続くデータリソースプール中で送信されるデータ送信のためのリソースを示す、
前記第１のリソースブロックを使用して前記ＳＡを１つまたは複数のデバイスに送信することと、
あらかじめ決定された再送信パターンに従って前記ＳＡリソースプール内の第２のリソースブロックを使用して前記ＳＡを再送信することと、前記あらかじめ決定された再送信パターンが、前記第１のリソースブロックに少なくとも部分的に基づいて、前記ＳＡを再送信するための異なる周波数または時間リソースの使用を識別する、
を備える、ワイヤレス通信の方法。
【請求項２】
前記ＳＡが、デバイスツーデバイス（Ｄ２Ｄ）ブロードキャスト送信において送信される、請求項１に記載の方法。
【請求項３】
前記再送信パターンが、固定周波数ホッピングパターン、固定時間パターン、またはそれらの組合せを備え、
前記固定周波数ホッピングパターン、固定時間パターン、またはそれらの組合せが、システム情報ブロック（ＳＩＢ）中で示されるか、またはあらかじめ定義されたパターンである、請求項１に記載の方法。
【請求項４】
前記再送信パターンが、
前記ＳＡリソースプール内の時間ダイバースリソース、または
前記ＳＡリソースプール内の周波数ダイバースリソース
のうちの１つまたは複数を識別する、請求項１に記載の方法。
【請求項５】
前記ＳＡリソースプールが複数のロングタームエボリューション（ＬＴＥ）サブフレームを備える、請求項１に記載の方法。
【請求項６】
前記ＳＡを送信するための許可を基地局から受信すること
をさらに備える、請求項１に記載の方法。
【請求項７】
前記ＳＡを送信することが、
前記許可に少なくとも部分的に基づいて前記ＳＡを送信するための前記第１のリソースブロックを決定することを備え、前記許可が、前記ＳＡリソースプール内の前記第１のリソースブロックを識別するインデックスを備えるダウンリンク制御情報（ＤＣＩ）を備え、
前記インデックスが、前記ＤＣＩのリソースブロック割当てフィールド中に含まれる、請求項８に記載の方法。
【請求項８】
前記ＳＡが、
前記データ送信のための変調およびコーディング方式（ＭＣＳ）と冗長バージョン（ＲＶ）と、
前記データ送信のための周波数ホッピングパターンと、
前記データ送信のためのターゲット識別情報（ＩＤ）と、ここにおいて、前記データ送信が、前記ターゲットＩＤを使用してスクランブルされる、
前記ＳＡの前記送信に対する第１のデータ送信のためのオフセットと、
ターゲット識別情報（ＩＤ）によってスクランブルされる巡回冗長検査（ＣＲＣ）と、
最後のＳＡ送信のインジケータと、
のうちの１つまたは複数を備える、請求項１に記載の方法。
【請求項９】
スケジューリング割当て（ＳＡ）を送信するためのＳＡリソースプール内の第１のリソースブロックを決定するための手段と、前記ＳＡが、前記ＳＡリソースプールの後に続くデータリソースプール中で送信されるデータ送信のためのリソースを示す、
前記第１のリソースブロックを使用して前記ＳＡを１つまたは複数のデバイスに送信するための手段と、
あらかじめ決定された再送信パターンに従って前記ＳＡリソースプール内の第２のリソースブロックを使用して前記ＳＡを再送信するための手段と、前記あらかじめ決定された再送信パターンが、前記第１のリソースブロックに少なくとも部分的に基づいて、前記ＳＡを再送信するための異なる周波数または時間リソースの使用を識別する、
を備える、ワイヤレス通信のための装置。
【請求項１０】
スケジューリング割当て（ＳＡ）を含むＳＡ送信を受信することと、
前記ＳＡ送信が受信されるＳＡリソースプール内の第１のリソースブロックを決定することと、前記ＳＡが、前記ＳＡリソースプールの後に続くデータリソースプール中で送信されるデータ送信を受信するためのリソースを示す、
あらかじめ決定された再送信パターンに従って前記ＳＡリソースプール内の第２のリソースブロックにおいて前記ＳＡの少なくとも１つの再送信を受信することと、前記あらかじめ決定された再送信パターンが、前記第１のリソースブロックに少なくとも部分的に基づいて、前記ＳＡを再送信するための異なる周波数または時間リソースの使用を識別する、
を備える、ワイヤレス通信の方法。
【請求項１１】
前記ＳＡを決定するために前記ＳＡ送信と１つまたは複数の前記再送信とを組み合わせること
をさらに備える、請求項１０に記載の方法。
【請求項１２】
前記あらかじめ決定された再送信パターンが、固定周波数ホッピングパターン、固定時間パターン、またはそれらの組合せを備える、請求項１０に記載の方法。
【請求項１３】
前記固定周波数ホッピングパターン、固定時間パターン、またはそれらの組合せが、送信デバイスから受信されたシステム情報ブロック（ＳＩＢ）中で示されるか、またはあらかじめ定義されたパターンである、請求項１２に記載の方法。
【請求項１４】
前記ＳＡが、前記ＳＡリソースプールまたは前記ＳＡの前記送信に対する第１のデータ送信のためのオフセットを備える、請求項１０に記載の方法。
【請求項１５】
スケジューリング割当て（ＳＡ）を含むＳＡ送信を受信するための手段と、
前記ＳＡ送信が受信されるＳＡリソースプール内の第１のリソースブロックを決定するための手段と、前記ＳＡが、前記ＳＡリソースプールの後に続くデータリソースプール中で送信されるデータ送信を受信するためのリソースを示す、
あらかじめ決定された再送信パターンに従って前記ＳＡリソースプール内の第２のリソースブロックにおいて前記ＳＡの少なくとも１つの再送信を受信するための手段と、前記あらかじめ決定された再送信パターンが、前記第１のリソースブロックに少なくとも部分的に基づいて、前記ＳＡを再送信するための異なる周波数または時間リソースの使用を識別する、
を備える、ワイヤレス通信のための装置。
【手続補正書】
【提出日】平成30年4月4日(2018.4.4)
【手続補正１】
【補正対象書類名】明細書
【補正対象項目名】発明の名称
【補正方法】変更
【補正の内容】
【発明の名称】神経変性障害の治療又は予防のための細胞内Ｎｉｘ介在性マイトファジーを増大させる剤及び方法並びにキット
【手続補正２】
【補正対象書類名】特許請求の範囲
【補正対象項目名】全文
【補正方法】変更
【補正の内容】
【特許請求の範囲】
【請求項１】
ｐａｒｋｉｎ介在性マイトファジー障害を有する対象における神経変性障害を予防又は治療するための剤であって、細胞内Ｎｉｘ介在性マイトファジーを増大させる剤。
【請求項２】
前記剤が、Ｎｉｘポリペプチド若しくはそのフラグメント若しくはバリアント若しくはアナログ、及び／又はＧＡＢＡＲＡＰ−Ｌ１ポリペプチド若しくはそのフラグメント若しくはバリアント若しくはアナログ、の細胞における生物活性又は発現を増大させる、請求項１に記載の剤。
【請求項３】
前記剤が、Ｎｉｘポリペプチド若しくはそのフラグメント若しくはバリアント、及び／又はＧＡＢＡＲＡＰ−Ｌ１ポリペプチド若しくはそのフラグメント若しくはバリアントを含む、請求項１又は請求項２に記載の剤。
【請求項４】
前記剤が、Ｎｉｘポリペプチド若しくはそのフラグメント若しくはバリアント及び／又はＧＡＢＡＲＡＰ−Ｌ１ポリペプチド若しくはそのフラグメント若しくはバリアントをコードする発現ベクターを含む、請求項１〜請求項３のいずれか一項に記載の剤。
【請求項５】
前記剤が、Ｎｉｘポリペプチド又はそのフラグメント若しくはバリアントをコードする発現ベクターを含む、請求項１〜請求項４のいずれか一項に記載の剤。
【請求項６】
前記細胞が、ニューロン又はニューロン前駆体である、請求項１〜請求項５のいずれか一項に記載の剤。
【請求項７】
前記神経変性障害がミトコンドリア機能不全を伴う、請求項１〜請求項６のいずれか一項に記載の剤。
【請求項８】
前記神経変性障害が、パーキンソン病、アルツハイマー病、レヴィー小体認知症、クロイツフェルト・ヤコブ病、ハンチントン病、多発性硬化症又は筋萎縮性側索硬化症を含む群から選択される、請求項１〜請求項７のいずれか一項に記載の剤。
【請求項９】
前記神経変性障害がパーキンソン病である、請求項１〜請求項８のいずれか一項に記載の剤。
【請求項１０】
前記対象が、ｐａｒｋｉｎ及び／又はＰＩＮＫ１に突然変異を有する、請求項１〜請求項９のいずれか一項に記載の剤。
【請求項１１】
ｐａｒｋｉｎ介在性マイトファジー障害を有する対象における神経変性障害の予防又は治療に有用な作用物質を同定する方法であって、
（ａ）細胞を作用物質と接触させること、及び
（ｂ）前記作用物質と接触していない対照細胞と比較しての、前記細胞におけるＮｉｘ介在性マイトファジーに関連する一つ若しくは複数のポリペプチドの生物活性若しくは発現の増大を検出すること、又は（ｃ）前記作用物質と接触していない対照細胞と比較しての、前記細胞におけるＮｉｘ介在性マイトファジーに関連するポリペプチドをコードする一つ若しくは複数のポリヌクレオチドの発現の増大を検出すること
を含み、
ここで、前記生物活性若しくは発現を増大させる作用物質は、前記神経変性障害の治療に有用であるとして同定される、前記方法。
【請求項１２】
前記一つ若しくは複数のポリヌクレオチド又はＮｉｘ介在性マイトファジーに関連する前記一つ若しくは複数のポリペプチドが、Ｎｉｘ及び／又はＧＡＢＡＲＡＰ−Ｌ１を含む、請求項１１に記載の方法。
【請求項１３】
前記細胞がＰａｒｋｉｎ関連マイトファジー障害を示し、好ましくは前記細胞がｐａｒｋｉｎ及び／又はＰＩＮＫ１に突然変異を有し、より好ましくは前記細胞が神経変性障害を有する対象又は神経変性障害を有するリスクがある対象から単離され、更により好ましくは前記細胞が繊維芽細胞、嗅覚神経球、又はニューロンである、請求項１１又は請求項１２に記載の方法。
【請求項１４】
治療有効量の、細胞内Ｎｉｘ介在性マイトファジーを増大させる作用物質を含む医薬組成物と、
治療を必要とする対象を同定するための説明書と、
前記対象に前記医薬組成物を投与するための指示書と、
を含む、ｐａｒｋｉｎ介在性マイトファジー障害を有する対象の神経変性障害を治療する際に使用されるキット。
【請求項１５】
前記医薬組成物が、Ｎｉｘポリペプチド若しくはそのフラグメント、及び／又はＧＡＢＡＲＡＰ−Ｌ１ポリペプチド若しくはそのフラグメントの細胞における発現を増大させる作用物質；Ｎｉｘポリペプチド若しくはそのフラグメント、及び／又はＧＡＢＡＲＡＰ−Ｌ１ポリペプチド若しくはそのフラグメント；又はＮｉｘポリペプチド若しくはそのフラグメント及び／又はＧＡＢＡＲＡＰ−Ｌ１ポリペプチド若しくはそのフラグメントをコードする発現ベクターを含む、請求項１４に記載のキット。
【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
（Ｒ）−２−（４−（（２−エトキシ−３−（４−（トリフルオロメチル）フェノキシ）プロピル）チオ）−２−メチルフェノキシ）酢酸である化合物またはその塩を含む、対象における非アルコール性脂肪肝疾患または非アルコール性脂肪肝炎の治療剤。
【請求項２】
前記化合物が、（Ｒ）−２−（４−（（２−エトキシ−３−（４−（トリフルオロメチル）フェノキシ）プロピル）チオ）−２−メチルフェノキシ）酢酸のＬ−リジン二水和物である、請求項１に記載の治療剤。
【請求項３】
経口投与のための、請求項１または２に記載の治療剤。
【請求項４】
前記化合物の用量が、（Ｒ）−２−（４−（（２−エトキシ−３−（４−（トリフルオロメチル）フェノキシ）プロピル）チオ）−２−メチルフェノキシ）酢酸として算出した場合、２０〜２００ｍｇ／日である、請求項１〜３のいずれか１項に記載の治療剤。
【請求項５】
前記化合物の用量が、（Ｒ）−２−（４−（（２−エトキシ−３−（４−（トリフルオロメチル）フェノキシ）プロピル）チオ）−２−メチルフェノキシ）酢酸として算出した場合、５０〜１００ｍｇ／日である、請求項４に記載の治療剤。
【請求項６】
前記化合物が、１日１回投与されるものである、請求項１〜５のいずれか１項に記載の治療剤。
【請求項７】
前記疾患が、非アルコール性脂肪肝疾患である、請求項１〜６のいずれか１項に記載の治療剤。
【請求項８】
前記疾患が、非アルコール性脂肪肝炎である、請求項１〜６のいずれか１項に記載の治療剤。
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2017513810.tif 000001
（式中、Ｒはアリール基、直鎖若しくは分枝鎖のアルケニル基、直鎖若しくは分枝鎖のアルキニル基、又は、直鎖若しくは分枝鎖のアルコキシカルボニル基により表される基の炭素原子であるか、あるいは、Ｒは直鎖若しくは分枝鎖のアルキルアミノ基、アリールアミノ基、直鎖若しくは分枝鎖のアルケニルアミノ基、又は、直鎖若しくは分枝鎖のアルキニルアミノ基により表される基の窒素原子であるか、あるいは、Ｒは、２量体を形成する式（Ｉ）の２つの分子間の結合を表す）
の化合物又はその誘導体。
【請求項２】
以下から選択される、請求項１に記載の化合物。
【化２】
2017513810.tif 000002
６−（３，７−ジメチル−オクタ−２，６−ジエニル）−５−ヒドロキシ−３−ペンチル−２−メトキシカルボニル−［１，４］ベンゾキノン
【化３】
2017513810.tif 000003
６−（３，７−ジメチル−オクタ−２，６−ジエニル）−５−ヒドロキシ−３−ペンチル−２−エチルアミノ−［１，４］ベンゾキノン
【化４】
2017513810.tif 000004
６−（３，７−ジメチル−オクタ−２，６−ジエニル）−５−ヒドロキシ−３−ペンチル−２−ペンチルアミノ−［１，４］ベンゾキノン
【化５】
2017513810.tif 000005
６−（３，７−ジメチル−オクタ−２，６−ジエニル）−５−ヒドロキシ−３−ペンチル−２−イソブチルアミノ［１，４］ベンゾキノン
【化６】
2017513810.tif 000006
６−（３，７−ジメチル−オクタ−２，６−ジエニル）−５−ヒドロキシ−３−ペンチル−２−ブチルアミノ［１，４］ベンゾキノン
【化７】
2017513810.tif 000007
６−（３，７−ジメチル−オクタ−２，６−ジエニル）−５−ヒドロキシ−３−ペンチル−２−メチルアミノ−［１，４］ベンゾキノン
【化８】
2017513810.tif 000008
６−（３，７−ジメチル−オクタ−２，６−ジエニル）−５−ヒドロキシ−３−ペンチル−２−イソプロピルアミノ−［１，４］ベンゾキノン
【化９】
2017513810.tif 000009
６−（３，７−ジメチル−オクタ−２，６−ジエニル）−５−ヒドロキシ−３−ペンチル−２−ベンジルアミノ［１，４］ベンゾキノン
【化１０】
2017513810.tif 000010
６−（３，７−ジメチル−オクタ−２，６−ジエニル）−５−ヒドロキシ−３−ペンチル−２−（２，２−ジメチル−プロピルアミノ）−［１，４］ベンゾキノン
【化１１】
2017513810.tif 000011
６−（３，７−ジメチル−オクタ−２，６−ジエニル）−５−ヒドロキシ−３−ペンチル−２−（３−メチル−ブチルアミノ）−［１，４］ベンゾキノン
【化１２】
2017513810.tif 000012
３，３’−ビス（（Ｅ）−３，７−ジメチル−オクタ−２，６−ジエニル）−４，４’−ジヒドロキシ−６，６’−ジペンチル−１，１’−ビ（シクロヘキサ−３，６−ジエン）−２，２’，５，５’−テトラオン
【請求項３】
請求項１又は２に記載の式（Ｉ）の化合物又はその誘導体と、任意により、相加的又は相乗的な作用を有する少なくとも一つの更なる活性化合物、及び／又は、少なくとも薬学的に不活性な成分とを含む、組成物。
【請求項４】
薬学的に不活性な成分が、賦形剤及び／又は担体を含む、請求項３に記載の組成物。
【請求項５】
医薬として使用される、請求項３又は４に記載の組成物。
【請求項６】
ＰＰＲＡｇ媒介性疾患の処置に使用される、請求項３又は４に記載の組成物。
【請求項７】
ＰＰＲＡｇ媒介性疾患が、アテローム性動脈硬化、炎症性腸疾患、関節リウマチ、肝繊維症、腎症、乾癬、皮膚創傷治癒、皮膚再生、膵炎、胃炎、神経変性障害、神経炎症性障害、強皮症、癌、高血圧、肥満、又は２型糖尿病から選択される、請求項６に記載の組成物。
【請求項８】
医薬の製造における請求項１又は２に記載の化合物又は誘導体の使用。
【請求項９】
医薬がＰＰＲＡｇ媒介性疾患の処置のための医薬である、請求項８に記載の使用。
【請求項１０】
ＰＰＲＡｇ媒介性疾患が、アテローム性動脈硬化、炎症性腸疾患、関節リウマチ、肝繊維症、腎症、乾癬、皮膚創傷治癒、皮膚再生、膵炎、胃炎、神経変性障害、神経炎症性障害、強皮症、癌、高血圧、肥満、又は２型糖尿病から選択される、請求項９に記載の使用。
【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
入口（１６；２６１）及び出口（１７；２７２）を有する超高純度（ＵＨＰ）二酸化炭素浄化システム（１０；２０）であって、前記入口（１６；２６１）に最も近いその上部は、担持された酸化ニッケルで少なくとも部分的に満たされており、前記出口（１７；２７２）に最も近いその下部は、担持された酸化パラジウムで少なくとも部分的に満たされており、前記浄化システムの前記上部及び前記下部は物理的な分離を有しているが、流体連通にあることを特徴とする、超高純度二酸化炭素浄化システム（１０；２０）。
【請求項２】
前記物理的な分離及び流体連通は、前記上部と前記下部との間に挿入された、金属メッシュ、多孔性隔膜、スクリーングリッド、粒子フィルタ（１２）または有孔金属シートの一つ以上によって達成される、請求項１に記載の超高純度二酸化炭素浄化システム（１０）。
【請求項３】
前記物理的な分離及び流体連通は、入口（２６１）及び出口（２７１）を有する、担持された酸化ニッケルで少なくとも部分的に満たされている第１の容器（２１１）によって達成されており、その出口（２７１）は担持された酸化パラジウムで少なくとも部分的に満たされている第２の容器（２１２）の入口（２６２）と連通している、請求項１に記載の超高純度二酸化炭素浄化システム（２０）。
【請求項４】
前記担持された酸化ニッケルと前記担持された酸化パラジウムの重量比は、１０から０．１、好ましくは５から０．２である、請求項１から３のいずれか一項に記載の超高純度二酸化炭素浄化システム（１０；２０）。
【請求項５】
前記上部体積の少なくとも２０％は担持された酸化ニッケルで満たされており、前記下部体積の少なくとも２０％は担持された酸化パラジウムで満たされている、請求項１から４のいずれか一項に記載の超高純度二酸化炭素浄化システム（１０；２０）。
【請求項６】
前記システム（１０；２０）は、少なくとも１つのヒーター及び１つの温度検出装置を備えている、請求項１から５のいずれか一項に記載の超高純度二酸化炭素浄化システム（１０；２０）。
【請求項７】
酸素添加の入口をさらに含んでいる、請求項１から６のいずれか一項に記載の超高純度二酸化炭素浄化システム（１０；２０）。
【請求項８】
サンプリングポート（１５；２５）をさらに含んでいる、請求項１から７のいずれか一項に記載の超高純度二酸化炭素浄化システム（１０；２０）。
【請求項９】
前記サンプリングポート（２５）は、前記第１の容器（２１１）の前記入口（２６１）と前記第２の容器（２１２）の前記入口（２６２）との間に置かれている、請求項３及び８に記載の超高純度二酸化炭素浄化システム（２０）。
【請求項１０】
請求項１に基づく超高純度二酸化炭素浄化システム（１０；２０）に高純度グレードまたはそれ以上の二酸化炭素を供給するステップを含む、高純度（ＨＰ）二酸化炭素を超高純度（ＵＨＰ）レベルまで浄化または予浄化するための方法。
【請求項１１】
最大で５０ｐｐｍの酸素が、流入する高純度二酸化炭素の気体の流れに添加される、請求項１０に記載の方法。
【請求項１２】
前記浄化システム（１０；２０）は、１５０℃から４００℃、好ましくは２７５℃から３５０℃の温度で加熱される、請求項１０または１１に記載の方法。
【請求項１３】
前記浄化システム（２０）が、担持された酸化ニッケルで少なくとも部分的に満たされた第１の容器（２１１）及び担持された酸化パラジウムで少なくとも部分的に満たされた第２の容器（２１２）を含む場合、前記第１の容器（２１１）は、１５０℃から４００℃、より好ましくは２００℃から３５０℃の温度で加熱され、前記第２の容器（２１２）は、２５０℃から４００℃、より好ましくは２７５℃から３５０℃の温度で加熱される、請求項１２に記載の方法。